(57)【要約】【課題】  後から塞ぎ蓋の破断案内溝の連結部を破断して切除片を外し、そこに通線口を形成するタイプの塞ぎ蓋であるが、パネル側に略凹状に形成されている配線取出口の内側に破断案内溝の連結部が露出することがない塞ぎ蓋を提供すること。【解決手段】  フロアパネルＰの外周辺の適宜位置に、平面から見て大略凹状を呈する切欠部が配線取出口Ｓとして形成されていると共に、該切欠部の内周縁に形成された適宜奥行き幅を有する支持辺Ｑに着脱自在に載置される前記配線取出口Ｓの塞ぎ蓋１において、通線口４を形成するため、前記蓋１の外周辺に通じる破断案内溝２を、その案内溝２と前記蓋１との連結部2aが前記支持辺Ｑの上に重なるように位置付けて設けたこと。【選択図】図２
2007189805.tif 000002
【特許請求の範囲】
【請求項１】
フロアパネルの外周辺の適宜位置に、平面から見て大略凹状を呈する切欠部が配線取出口として形成されていると共に、該切欠部の内周縁に形成された適宜奥行き幅を有する支持辺に着脱自在に載置される前記配線取出口の塞ぎ蓋において、通線口を形成するため、前記蓋の外周辺に通じる破断案内溝を、その案内溝と前記蓋との連結部が前記支持辺の上に重なるように位置付けて設けたことを特徴とするフロアパネルの配線取出口の塞ぎ蓋。
【請求項２】
通線口用の破断案内溝が設けられない当該蓋の外周辺の中間部位に、前記破断案内溝の少なくとも一部に沿った補強用凹溝部を設けた請求項１の配線取出口の塞ぎ蓋。
【請求項３】
補強用凹溝部と通線口用の破断案内溝が設けられない塞ぎ蓋の外周辺の間であって前記切欠部による配線取出口の支持辺の縁に対応する部位に、係止用爪片を下向きに切起して形成した請求項１又は２の配線取出口の塞ぎ蓋。
【請求項４】
係止用爪片を切起した孔の近傍に、孔補強用凹溝部を設けた請求項１〜３のいずれかの配線取出口の塞ぎ蓋。
【発明の詳細な説明】
【技術分野】
【０００１】
本発明はフリーアクセスフロアを形成するフロアパネルに配線取出口として設けられる切欠部に着脱自在に装着される塞ぎ蓋に、後から取外し可能に設けて通線口を形成できるようにした塞ぎ蓋に関する。
【背景技術】
【０００２】
従来からコンクリート床等の下地床の上に多数のフロアパネルを敷き並べる際、フロアパネル下面と下地床上面の間にケーブル配線等のため空間を形成するフリーアクセスフロアと称される二重床構造がある。
【０００３】
上記のような後置きパネルによるフリーアクセスフロアにおいては、コンピュータの端末機器や通信機器等の電源ケーブルや信号ケーブルなどのケーブルを、フロア下の空間内に自由に配線できるが、これらのケーブルをフロアの上面側に配置される前記端末機器や通信機器等と接続するには、前記フロア下の配線をフロア上面側に取出す必要があるので、従来のフロアパネルでも、種々の態様で配線取出口が形成されている。
【０００４】
公知のフロアパネルにおける配線取出口の形態は、フロアパネルの外周辺上の少なくとも１箇所に平面から視て略半円形状乃至は半長円形状、或は、長方形状等をなすようにパネルの内部側に凹陥した大略凹状をなす切欠部を配線取出口として形成し、この切欠部に、後から通線口を形成するため破断できる切除片を案内溝を介して備えた塞ぎ蓋を載置装着する構造のものが提案されており、実用に供されているものもある。
【０００５】
例えば、特許文献１や同２には、塞ぎ蓋の外周上の縁からその蓋の内部側に延びた破断案内溝を形成し、この溝に囲繞された部分を切除片として後から破断切除することにより通線口を開口形成できる技術が開示されている。
【０００６】
しかし乍ら、上記特許文献１，２の塞ぎ蓋に形成された破断案内溝は、その溝に囲まれた切除片と塞ぎ蓋本体との連結部がパネル側に形成された凹状切欠部（配線取出口）の内部側に位置しているため、前記連結部を破断して通線口を形成すると、その破断部のバリが配線取出口の内側に露出する形で残り、露出したバリが通線口から出入れるするケーブルの被覆を傷めたり、作業者の指を傷めるなどの問題がある。
【０００７】
このような点に鑑み、本発明の発明者らは、塞ぎ蓋の通線口を予め当該蓋にプレス等により打抜き形成しておくことにより、後から破断して形成する通線口のようにバリが残ることがない塞ぎ蓋を提案しているが（特許文献３参照）、ユーザーでは、塞ぎ蓋の通線口は敷設した多数のパネルの中で所望の位置にあるパネルに形成したいとする要望も多いことが判った。
【特許文献１】特開２０００−２４０２６３号公報
【特許文献２】特許第３３８４６２１号公報
【特許文献３】特開２００２−３１５１５８号公報
【発明の開示】
【発明が解決しようとする課題】
【０００８】
そこで本発明では、後から塞ぎ蓋の破断案内溝の連結部を破断して切除片を外し、そこに通線口を形成するタイプの塞ぎ蓋であるが、パネル側に略凹状に形成されている配線取出口の内側（配線が挿通される部位、以下、同じ。）に破断案内溝の連結部が露出することがない塞ぎ蓋を提供することを、その課題とする。
【課題を解決するための手段】
【０００９】
上記課題を解決することを目的としてなされた本発明塞ぎ蓋の構成は、フロアパネルの外周辺の適宜位置に、平面から見て大略凹状を呈する切欠部が配線取出口として形成されていると共に、該切欠部の内周縁に形成された適宜奥行き幅を有する支持辺に着脱自在に載置される前記配線取出口の塞ぎ蓋において、通線口を形成するため、前記蓋の外周辺に通じる破断案内溝を、その案内溝と前記蓋との連結部が前記支持辺の上に重なるように位置付けて設けたことを特徴とするものである。
【００１０】
本発明においては、通線口用の破断案内溝が設けられない当該蓋の外周辺の中間部位に、前記破断案内溝の少なくとも一部に沿った補強用凹溝部を設けることがある。また、前記の補強用凹溝部と通線口用の破断案内溝が設けられない塞ぎ蓋の外周辺の間であって前記切欠部による配線取出口の支持辺の縁に対応する部位に、係止用爪片を下向きに切起して形成すると、本発明塞ぎ蓋のパネル側に形成した配線取出口（切欠部）への着脱が容易かつ確実になる。なお、前記の係止用爪片を切起した孔の近傍に、孔補強用凹溝部を設けることにがある。
【発明の効果】
【００１１】
本発明では、フロアパネルの外周辺の適宜位置に、平面から見て大略凹状を呈する切欠部が配線取出口として形成されていると共に、該切欠部の内周縁に形成された適宜奥行き幅を有する支持辺に着脱自在に載置される前記配線取出口の塞ぎ蓋において、通線口を形成するため、前記蓋の外周辺に通じる破断案内溝を、その案内溝と前記蓋との連結部が前記支持辺の上に重なるように位置付けて設けてパネル側の配線取出口の塞ぎ蓋を形成したので、破断案内溝の前記蓋との連結部を切断して通線口を形成したときに生じる切断バリが、当該蓋を載せる支持辺の上に重複することとなり、これによってバリが支持辺の内縁より配線取出口の内側に露出せず、従って、そのバリによって配線被覆を傷めたり、通線作業を行う者の指が傷付くことを防ぐことができる。
【発明を実施するための最良の形態】
【００１２】
次に、本発明の実施の形態例を図に拠り説明する。図１は本発明の塞ぎ蓋の一例をフロアパネルに形成された切欠部（配線取出口）に装着する前の状態を示す斜視図、図２は図１の塞ぎ蓋をフロアパネルの切欠部に装着した状態を示す平面図、図３は図２の塞ぎ蓋の正面図、図４は図２に示した蓋のＡ−Ａ矢視拡大断面図、図５は図１に示した蓋のＢ−Ｂ矢視拡大断面図、図６の(a)〜(f)は本発明塞ぎ蓋における補強用凹溝部のパターン例を示す平面図である。
【００１３】
図１〜図５において、１は、後述する配線取出口Ｓを塞ぐために鋼板等をプレスして成形した金属製の塞ぎ蓋であって、フロアパネルＰの適宜外周辺に形成した平面略凹状の切欠部による配線取出口Ｓに着脱自在に装着されるものである。Ｑは前記切欠部による配線取出口Ｓの内周縁に形成した適宜奥行き幅を有する支持辺で、前記蓋１はこの支持辺Ｑに載置することにより、切欠部による配線取出口Ｓに装着される。
【００１４】
２は、前記取出口Ｓに装着する塞ぎ蓋１の外周辺1a（凹状切欠部の内部側に対応）に、この外周辺1aに通じるように細幅の略Ｕ字状をなす溝で形成した破断案内溝で、この溝２に囲まれた切除片３が、その連結部2aで破断されて取外されることにより通線口４（図４参照）が形成される。この例では前記案内溝２が外周辺1aの左，右２箇所に形成してあり。連結部2aは一つの案内溝２に２箇所設定しているが、連結部2aの数は、この例に限られるものではない。
コンピュータ等の端末機器や通信機器などの電源ケーブルや信号ケーブル等のケーブル類Cs（図４参照）は、この破断案内溝２における蓋の側との連結部2aを破断し切除片３を除去して形成される平面略Ｕ状をなす通線口４に挿通させられる。本発明では、切除片３を除去して形成される通線口４を形成するための破断案内溝２の２つの連結部2aが、図２に示すように支持辺Ｑと重複する部位に形成されているので、この連結部2aが破断されたとき生じるバリ2bは、必ず支持辺Ｑの上に存在することとなり、従って、バリ2bが通線口４に挿通されるケーブルCsの被覆を傷めたり、作業者の指を傷付けたりするおそれは全くない。
【００１５】
５は、通線口４の内奥端部とこの通線口４が設けられていない側の塞ぎ蓋１の外周辺1bの中間部位に、フロアパネルＰの外周辺に沿うか（図２参照）、或は、交叉する角度（図６参照）で設けた補強用凹溝部で、図５に例示したように断面凹状をなす細長い溝である。この補強用凹溝部５は、その断面形状によって、本発明塞ぎ蓋１の略中央部にかかる荷重を効果的に分散することができるので、この塞ぎ蓋１の強度を向上させることができる。
【００１６】
６は、上記の補強用凹溝部５と塞ぎ蓋１の外周辺1b（通線口４が設けられない側）の間であって、配線取出口Ｓの支持辺Ｑの周縁に対応する部位に、この蓋１の一部を下向きに切起して形成した係止用爪片である。この係止用爪片６が切起し形成されると該爪片６の形に孔6aが形成される。図２に例示した補強用凹溝部５は、この孔6aと通線口４における最奥部の間を分断する位置に位置付けているので、例えば塞ぎ蓋１の略中央に荷重がかかったときに、切起しによる孔6aと通線口４における最奥部との間に生じ易い亀裂を効果的に防止することができる。
【００１７】
７は、上記孔6aの近傍に、補強用凹溝部５と略直交するように設けた変形防止を目的とした補強凹溝部で、断面形状は前記補強用凹溝部５と同じである。従って、この凹溝部７は主にこの孔6aが荷重により変形して前記爪６が歪むのを防止する働きをする。
【００１８】
８は、通線口４における最奥部の脇乃至その近傍に、前記補強用凹溝部５と略直交する向きで設けた変形防止を目的とした補強凹溝部で、断面形状は前記補強用凹溝部５と略同じである。この凹溝部８は主として通線口４２における最奥部の周縁が荷重により変形するのを防止する。なお、この変形防止用の凹溝部８及び補強用凹溝部５は、蓋１の裏面側に略ドーム状をなして膨出（図５参照）するので、図４に例示するように、ケーブル類Csが通線口４における最奥部に斜めに挿通されたとき、前記凹溝部５や同８の膨出部によってケーブル類が通線口４の最奥部の角張った縁によって無理に曲げられたり、引掛ったりするのを防止するほか、通線口４における角部によりケーブル類Csが損傷するのも防止する作用をする。
【００１９】
９は、フロアパネルＰの外周辺側と同じ側に位置する塞ぎ蓋１の外周辺1bに縦向きに形成した少量配線用の垂直凹部である。なお、この凹部９は配線取出口Ｓに同じ塞ぎ蓋１が装着された２枚のフロアパネルＰをそれらを向かい合せて敷設したとき、この凹部７同士で丸穴状になるので、ある程度の量の配線であっても挿通できる。
【００２０】
10は、塞ぎ蓋１の左，右両側辺に、この塞ぎ蓋１の取外し用に形成した切欠である。フロアパネルＰに装着した本発明塞ぎ蓋１は、係止用爪片６の下端に形成した突起部6bがフロアパネル１の切欠部による配線取出口Ｓの支持辺Ｑに係合しているので、この切欠10にマイナスドライバーのビットなどを挿し込んで塞ぎ蓋１を持ち上げ、フロアパネルＰからこの蓋１を取外すためのものである。
【００２１】
本発明塞ぎ蓋１において、補強用凹溝部５，７，８の配設パターンは、図１〜図５により説明した上記例のほか、図６に(a)〜(f)に示す凹溝部パターンもある。図６(a)〜(f)において、符号51は先の実施例の凹溝部５に対応した凹溝部、符号71は先の実施例における凹溝部７に対応した凹溝部、符号81は先の実施例における凹溝部８に対応した凹溝部である。図６(a)〜(f)の例では、各凹溝部51，71，81は、個々に独立したものではなく連通した形態の凹溝として形成されている。
【００２２】
本発明の配線取出口の塞ぎ蓋１は、金属製以外にプラスチック製であってもよいが、金属製の方がコスト面で有利である。また、本発明塞ぎ蓋１を適用するフロアパネルＰの構造は、特定構造のものに限定されない。例えば、内部中空タイプのパネル、或は、内部に充填材を充填させたタイプのパネルのいずれであってもよい。
【産業上の利用可能性】
【００２３】
本発明の配線取出口の塞ぎ蓋は以上の通りであって、塞ぎ蓋に通線口を形成するため、前記蓋の外周辺に通じる破断案内溝を、その案内溝と前記蓋との連結部がこの塞ぎ蓋を載置する支持辺の上に重なるように位置付けて設けたから、破断案内溝の前記蓋との連結部を切断して通線口を形成したときに生じる切断バリが、当該支持辺の上に重複することとなり、これによってバリが支持辺の内縁より配線取出口の内側に露出せず、従って、そのバリによって配線被覆を傷めたり、通線作業を行う者の指が傷付くことを防ぐことができる。
【００２４】
また、本発明塞ぎ蓋は、その蓋の中央部に大きな荷重がかかっても補強用凹溝部があるため折曲がったりすることはおよそなく、しかも、この補強用凹溝部によって、塞ぎ蓋に形成される通線口と係止用爪片の切起し孔に挟まれた部分に亀裂が生じるのを防止できる。更に、これら通線口や切起し孔のそれぞれの近傍には変形防止用凹溝部を設けてこれら開口や切起し孔による切欠き効果が生じないようにしているため、これらの周縁に亀裂や欠損が生じるのを効果的に防止することができる。
【００２５】
さらに、本発明の蓋は、構造が至ってシンプルであるから、一枚の板状の金属材のプレス加工又はプラスチック材の成形加工により容易に製造でき、特に、プレス加工の場合には、製造手間やそのコストも従来のプラスチック成形による蓋と比べ少なくて済むという効果が得られる。
【図面の簡単な説明】
【００２６】
【図１】本発明の塞ぎ蓋の一例をフロアパネルに形成された切欠部（配線取出口）に装着する前の状態を示す斜視図。
【図２】図１の塞ぎ蓋をフロアパネルの切欠部に装着した状態を示す平面図。
【図３】図２の塞ぎ蓋の正面図。
【図４】図２に示した蓋のＡ−Ａ矢視拡大断面図。
【図５】図１に示した蓋のＢ−Ｂ矢視拡大断面図。
【図６】(a)〜(f)は本発明塞ぎ蓋における補強用凹溝部のパターン例を示す平面図。
【符号の説明】
【００２７】
Ｐ        フロアパネル
Ｓ        配線取出口（切欠部）
Ｑ        塞ぎ蓋の支持辺
Cs        ケーブル類
１        配線取出口Ｓの塞ぎ蓋
２        破断案内溝
2a        連結部
３        切除片
４        通線口
５        補強用凹溝部
６        係止用爪片
７，８    補強凹溝部
９        垂直凹部
10        切欠
【図１】
2007189805.tif 000003
【図２】
2007189805.tif 000004
【図３】
2007189805.tif 000005
【図４】
2007189805.tif 000006
【図５】
2007189805.tif 000007
【図６】
2007189805.tif 000008